(57)【要約】【課題】  幼児を拘束する拘束ベルトを取り外すことなく位置調整が可能なチャイルドシートを提供する。【解決手段】  本発明のチャイルドシートは、車両の座席１００に固定されるベース部２と、座席１００に対して前向きの姿勢でベース部２上に取り付け可能なシート部３とを具備する。そして、ベース部２には、座席１００に固定されるベース本体２ａと、シート部３に着席した幼児を拘束するための一対の肩ベルト３０を備えた拘束ベルト装置４と、肩ベルト３０を案内する肩ベルトガイド３５と、肩ベルトガイド３５をベース本体２ａに対して座席１００の上下方向に位置調整可能に連結するベルトガイド位置調整機構とが設けられている。【選択図】    図１
2005162147.tif 000002
【特許請求の範囲】
【請求項１】
車両の座席に固定されるベース部と、前記座席に対して前向きの姿勢で前記ベース部上に取り付け可能なシート部とを具備し、
前記ベース部には、前記座席に固定されるベース本体と、前記シート部に着席した幼児を拘束するための一対の肩ベルトを備えた拘束ベルト装置と、前記肩ベルトを案内する肩ベルトガイドと、前記肩ベルトガイドを前記ベース本体に対して前記座席の上下方向に位置調整可能に連結するベルトガイド位置調整機構とが設けられていることを特徴とするチャイルドシート。
【請求項２】
前記ベルトガイド位置調整機構は、操作部の操作によって前記座席の上下方向への前記肩ベルトガイドの移動の禁止及びその禁止の解除を切り替える拘束手段を具備し、前記操作部が前記シート部の前面側から操作可能な位置に設けられていることを特徴とする請求項１に記載のチャイルドシート。
【請求項３】
前記ベース本体は一対のフレームを含んで構成され、前記拘束手段は、前記一対のフレーム間に沿って上下移動可能であり、前記一対のフレームに形成された孔に対して抜き差し可能なシャフトを含んで構成されていることを特徴とする請求項２に記載のチャイルドシート。
【請求項４】
前記肩ベルトが、前記ベース部に取り付けられた前記シート部と干渉しないように前記一対のフレームの背面側から該シート部の前面側へ案内されていることを特徴とする請求項１〜３のいずれか一項に記載のチャイルドシート。
【請求項５】
車両の座席に前向きの姿勢で固定されるとともに、幼児を拘束するための一対の肩ベルトと、前記肩ベルトを案内する肩ベルトガイドと、前記肩ベルトガイドを前記座席の上下方向に位置調整可能に連結するベルトガイド位置調整機構とを具備するチャイルドシートにおいて、
前記ベルトガイド位置調整機構は、操作部の操作によって前記座席の上下方向への前記肩ベルトガイドの移動の禁止及びその禁止の解除を切り替える拘束手段を具備し、前記操作部が前記座席の前方側から操作可能な位置に設けられていることを特徴とするチャイルドシート。
【発明の詳細な説明】
【技術分野】
【０００１】
本発明は、チャイルドシートに関し、特に、幼児を拘束するベルトの位置調整が可能なチャイルドシートに関する。
【背景技術】
【０００２】
従来から、幼児を拘束する拘束ベルトの位置調整が可能なチャイルドシートが知られている。この種のチャイルドシートでは、拘束ベルトをその幼児の体格に適した位置に調整するため、一旦、拘束ベルトを連結金具等から取り外し、再度幼児の体格に適した位置に取り付け直すことによりベルトの位置調整を行っている。また、拘束ベルトを取り外さずに位置調整を可能としたチャイルドシートもある（特許文献１）。
【０００３】
【特許文献１】実開平６−４２４６４号公報
【発明の開示】
【発明が解決しようとする課題】
【０００４】
しかしながら、ベルトの位置を幼児の体格に適合させるためにその都度拘束ベルトを取り付け直すのは煩雑である。また、特許文献１のチャイルドシートは、幼児が着席するシート部と幼児を拘束する拘束ベルトとを含んで一つのユニットを構成しており、これを車両の座席あるいは座席に固定されているベース部に取り付けるものである。従って、シート部の部品数が増して質量増加を招き、シート部とベース部との連結部に加わる負担が大きくなる。また、拘束ベルトの位置調整用の操作部がシート部の背面側に設けられているので、シート部をベース部から取り外して前後に反転させないと調整作業が行えず、車内スペースの都合から車外作業を余儀なくされるおそれがある。
【０００５】
そこで、本発明は、幼児を拘束する拘束ベルトを取り外すことなく位置調整が可能なチャイルドシートを提供することを目的とする。
【課題を解決するための手段】
【０００６】
以下、本発明のチャイルドシートについて説明する。なお、本発明の理解を容易にするために添付図面の参照符号を括弧書きにて付記するが、それにより本発明が図示の形態に限定されるものではない。
【０００７】
本発明のチャイルドシートは、車両の座席（１００）に固定されるベース部（２）と、前記座席に対して前向きの姿勢で前記ベース部上に取り付け可能なシート部（３）とを具備し、前記ベース部には、前記座席に固定されるベース本体（２ａ）と、前記シート部に着席した幼児を拘束するための一対の肩ベルト（３０）を備えた拘束ベルト装置（４）と、前記肩ベルトを案内する肩ベルトガイド（３５）と、前記肩ベルトガイドを前記ベース本体に対して前記座席の上下方向に位置調整可能に連結するベルトガイド位置調整機構とが設けられていることにより、上述した課題を解決する。
【０００８】
この発明によれば、拘束ベルト装置及びベルトガイド調整機構が車両の座席に固定されるベース部に設けられている。従って、幼児が着席するシート部は軽量化されベース部との連結部に加わる負担が少ない。
【０００９】
本発明のチャイルドシートにおいて、前記ベルトガイド位置調整機構は、操作部（７１ａ）の操作によって前記座席の上下方向への前記肩ベルトガイドの移動の禁止及びその禁止の解除を切り替える拘束手段（７１）を具備し、前記操作部が前記シート部の前面側から操作可能な位置に設けられていてもよい。この場合は、拘束ベルトの位置調整を行うベルトガイド位置調整機構がベース部に設けられているので、シート部を取り外して前後に反転させる必要はなく、車内スペースの大小に関わらず車内にて位置調整を行うことができる。
【００１０】
本発明のチャイルドシートにおいて、前記ベース本体は一対のフレーム（１３）を含んで構成され、前記拘束手段は、前記一対のフレーム間に沿って上下移動可能であり、前記一対のフレームに形成された孔（１３ａ）に対して抜き差し可能なシャフト（７３）を含んで構成されていてもよい。肩ベルトガイドの移動の禁止及びその禁止の解除を切り替える拘束手段が、一対のフレーム間で沿って上下移動するので、十分な強度を確保することができる。また、拘束手段はシャフトによってフレームに対して位置決めされるので確実に肩ベルトガイドの位置調整が可能となる。
【００１１】
本発明のチャイルドシートにおいて、前記肩ベルトが、前記ベース部に取り付けられた前記シート部と干渉しないように前記一対のフレームの背面側から該シート部の前面側へ案内されていてもよい。この場合は、肩ベルトがシート部と干渉しないので、シート部に着席した幼児の拘束に対する信頼性が高まる。
【００１２】
本発明のチャイルドシートは、車両の座席（１００）に前向きの姿勢で固定されるとともに、幼児を拘束するための一対の肩ベルト（３０）と、前記肩ベルトを案内する肩ベルトガイド（３５）と、前記肩ベルトガイドを前記座席の上下方向に位置調整可能に連結するベルトガイド位置調整機構とを具備するチャイルドシートにおいて、前記ベルトガイド位置調整機構は、操作部（７１ａ）の操作によって前記座席の上下方向への前記肩ベルトガイドの移動の禁止及びその禁止の解除を切り替える拘束手段（７１）を具備し、前記操作部が前記座席の前方側から操作可能な位置に設けられていることにより、上述した課題を解決する。
【００１３】
この発明によれば、ベルトガイド位置調整機構の操作部が座席の前方側から操作可能な位置に設けられているので、チャイルドシートを取り外して前後に反転させて拘束ベルト装置の位置調整を行う必要はなく、車内スペースの大小に関わらず車内にて位置調整を行うことができる。
【発明の効果】
【００１４】
本発明によれば、幼児を拘束する拘束ベルトを取り外すことなく拘束ベルトの位置調整が可能なチャイルドシートを提供することができる。
【発明を実施するための最良の形態】
【００１５】
まず、図１を参照して、本発明の一実施形態に係るチャイルドシートの概要を説明する。図１に示すように、チャイルドシート１は、ベース部２と、そのベース部２上に分離可能に取り付けられるシート部３とを備えている。ベース部２は、車両のシートベルトを利用して車両の座席１００のシートクッション１０１及びシートバック１０２にそれぞれ接するように固定される。
【００１６】
ベース部２には、座席１００に固定されるベース本体２ａと、幼児を拘束する拘束ベルト装置４と、ベース本体２ａに対して座席１００の前後方向に位置調整可能なスライダ５とが設けられている。
【００１７】
一方、シート部３には、スライダ５に対して一体に位置調整可能かつ取り外し可能な状態で連結されるシートクッション部６と、座席１００の左右方向に延びる支軸７を介してシートクッション部６の後端部に回転可能に連結され、背面側がベース部２に対して取り外し可能な状態で連結されるシートバック部８とが設けられている。
【００１８】
次に、図２〜図５を参照してチャイルドシート１のより具体的な実施形態を説明する。
【００１９】
図２は、チャイルドシート１の上部を拡大してその一部を切断した斜視図である。シートバック部８は、幼児の背中を支持するバックレスト４８と、幼児の後頭部を支持するヘッドレスト４９と、これらの側方に突出する上下二段のサイドサポート５０、５１とを備えている。拘束ベルト装置４の肩ベルト３０はサイドサポート５０、５１の間の隙間からシート部３の前面側に引き出されている。そして、この肩ベルト３０を案内するベルトガイド３５がベース部２に設けられている。ベルトガイド３５はカバー１０を介して、これから一部を露出するように設けられている。また、ベルトガイド３５を上下に位置調整可能に連結する位置調整機構の操作部７１ａがシート部３の前面に臨むようにして、シート部３の前面側から操作可能な位置に設けられている。
【００２０】
図３はシート部３を取り外してベース部２の詳細を示した図である。ベース部２はベース本体２ａを備えている。ベース本体２ａは、底側支持部としてのサポートベース１１と、そのサポートベース１１の後端側から上方に延びる背側支持部としてのバックフレーム１２とを備えている。バックフレーム１２はサポートベース１１の両側から後方に向かって立ち上がる一対のメインフレーム１３と、メインフレーム１３の間に配置された連結部１４とを備えている。
【００２１】
また、一対のメインフレーム１３のそれぞれには、固定用ベルトガイド（単にベルトガイドと呼ぶことがある。）１５と、拘束装置としてのロックオフデバイス１６とが取り付けられている。ベルトガイド１５は、車両のシートベルトの肩ベルト部分１０４が通されたタング１０３Ａをバックル１０３Ｂに装着してベース部２を座席１００（図１参照）に固定する際に、その肩ベルト部分１０４をフレーム１２の背面側に導くためのものである。ロックオフデバイス１６はフレーム１２の背面側に導かれた肩ベルト部分１０４を一対の爪間に挟み込むことにより、肩ベルト部分１０４をベース部２に対して固定する周知の装置である。
【００２２】
車両のアンカー（不図示）とバックル１０３Ｂによる固定位置との間に渡された肩ベルト部分１０４はベース部２の一方のメインフレーム１３に設けられたベルトガイド１５に沿ってバックフレーム１２の背面側に案内され、反対側のメインフレーム１３に設けられたロックオフデバイス１６に挟み込まれる。これにより、腰ベルト部分１０５のアンカーからロックオフデバイス１６までのベルト長さが一定値に固定されてベース部２が座席１００に固定される。ベース部２の前面側に肩ベルト部分１０４を通さないのは、肩ベルト部分１０４と拘束ベルト装置４の肩ベルト３０との干渉を避けるためである。なお、チャイルドシート１と肩ベルト部分１０４の引き出し方向との関係が左右逆となる場合に備えて、ベルトガイド１５及びロックオフデバイス１６の取り付け位置はそれぞれ反対側のメ
インフレーム１３の同一高さの位置に変更可能である。
【００２３】
スライダ５の上面には拘束ベルト装置４の一対の肩ベルト３０の固定部３１と、拘束ベルト装置４の股ベルト３２の固定部３３とが設けられている。これらの固定部３１、３３はスライダ５に装着されたシートクッション部６の座面とほぼ同じ高さでベルト３０、３２を固定できるようにスライダ５の上面から突出して設けられている。
【００２４】
図３に示すように、メインフレーム１３の前端部には、車両の腰ベルト部分１０５を案内するための腰ベルトガイド３４がスライダ５の両側に突出するように設けられている。これらの腰ベルトガイド３４の前後方向の位置は、スライダ５がその可動範囲の前端に移動しても腰ベルト部分１０５が股ベルト固定部３３よりも前方に離れているように定められている。従って、腰ベルトガイド３４により腰ベルト部分１０５はベース部２とシートクッション部６との間であって、かつ、ベース部２の前後方向に関して中心部よりも前端側に偏った位置に保持される。これにより、車両のアンカー及びバックル１０３Ｂからベース部２に向かって延ばされる腰ベルト部分１０５の水平方向に対する傾斜角を減少させ、腰ベルト部分１０５が前後方向に関してベース部２を拘束する効果を増大させることができる。
【００２５】
フレーム１２の連結部１４の下方には、拘束ベルト装置４の一対の肩ベルト３０を案内する肩ベルトガイド３５が設けられている。肩ベルトガイド３５によってフレーム１２の背面側に案内された肩ベルト３０は連結具３６を介して一本の調整ベルト３７と連結されている（図１も参照）。図１及び図３から明らかなように、調整ベルト３７はメインフレーム１３の下端部間に取り付けられた支軸７と平行な連結軸３８に巻き掛けられてサポートベース１１とスライダ５との間に導かれ、さらにはスライダ５の前端部に設けられたベルトアジャスタ３９に通されてチャイルドシート１の前方に引き出されている。肩ベルト３０に設けられたタング４０を股ベルト３２の先端のバックル４１に固定した上で調整ベルト３７の先端部３７ａを前方に引き出すことにより、固定部３１と肩ベルトガイド３５との間に繰り出されている肩ベルト３０の長さを所望の値に調整することができる。
【００２６】
図４は、シートバック部８をベース部２に連結するためにバックフレーム１２に設けられた連結部１４の詳細を示している。連結部１４には、メインフレーム１３の間に架け渡された一対のクロスバー６５と、そのクロスバー６５の間に渡された上下のガイドロッド６６と、そのガイドロッド６６及びメインフレーム１３に案内されて上下に移動可能なスライダ６７とを備えている。スライダ６７の上部中央には前方に突出する中央支持部６８が設けられ、その中央支持部６８の両側（図では片側のみ示す）にピン挿入穴６８ａが形成されている。なお、シートバック部８の各サイドサポート５０の裏面側にはスライダ６７のピン挿入穴６８ａと嵌合する連結ピン７５が左右方向にスライド可能に取り付けられており（図１参照）、これらの連結ピン７５が連結部１４のスライダ６７に設けられたピン挿入穴６８ａに挿入されることにより、シートバック部８がスライダ６７を介してバックフレーム１２と連結ピン７５の回りに回転可能に連結される。
【００２７】
一方、スライダ６７の下部にはメインフレーム１３に沿って滑るスライドガイド７１が設けられている。さらにそのスライドガイド７１の内側に上述したベルトガイド３５が設けられている。従って、ベルトガイド３５は支持部６８、６９とともに一体に上下に移動する。これにより、スライダ６７と連結されたシートバック部８のサイドサポート５０、５１の隙間に肩ベルトガイド３５を常に位置させてシート部３に対する肩ベルト３０の引き出し位置の変化を防ぐことができる。
【００２８】
さらに、スライドガイド７１は、操作部７１ａを備えており、これを操作することにより、肩ベルトガイド３５の位置をスライダ６７に対して変更し、シート部３に対する肩ベルト３０の引き出し位置を幼児の体格に合わせて変更することができる。スライドガイド７１は、肩ベルトガイド３５を移動可能に連結するベルトガイド位置調整機構の一部を構成する。以下に、ベルトガイド位置調整機構の詳細を説明する。
【００２９】
図５は、ベルトガイド位置調整機構の詳細を示した斜視図であり、説明の便宜上、図２のカバー１０、図４のスライダ６７及び中央支持部６８等の周辺部材を取り外して示したものである。ベルトガイド位置調整機構は、図５（ａ）に示したように、ベース７４と、肩ベルトガイド３５の移動の禁止及びその禁止の解除を切り替える拘束手段としてのスライドガイド７１とを含んで構成されている。
【００３０】
ベース７４は、ガイドロッド６６に対して座席１００の上下方向（図１参照）に関してスライド移動可能に設けられている。また、ベース７４には、肩ベルトガイド３５が取り付けられており、更に、略Ｕ字状に加工されたシャフト７３を受け入れてその移動範囲を規定するシャフト押さえ７４ａ、７４ｂがそれぞれ設けられている。
【００３１】
スライドガイド７１は、フレーム１３の内側に沿って配置されている。また、スライドガイド７１には、シャフト７３がベース７４のシャフト押さえ７４ａ及び７４ｂを介して取り付けられている。シャフト７３はその端部をスライドガイド７１から露出するようにして取り付けられている。
【００３２】
また、スライドガイド７１とシャフト押え７４ａとの間には、一対のコイルばね７２がスライドガイド７１及びシャフト押さえ７４ａのそれぞれの側部にて圧縮された状態で取り付けられている。これにより、スライドガイド７１は、シャフト７３とともにベース７４に対して座席１００の左右方向へ可動しつつ、フレーム１３の内側から当該フレーム１３を押し付けるようにコイルばね７１ａにより付勢される。従って、スライドガイド７１から露出しているシャフト７３の端部がフレーム１３に形成された複数の挿入孔１３ａに対して嵌合し、肩ベルトガイド３５の移動が禁止される。
【００３３】
一方、肩ベルトガイド３５の移動の禁止を解除して肩ベルトガイド３５の位置を変更する場合には、図５（ｂ）に示すように、まず、スライドガイド７１に設けられている操作部７１ａをコイルばね７２の付勢力に抗して内側に引き寄せて、挿入孔１３ａからシャフト７３の端部を抜いて移動の禁止を解除する。そして、その解除状態を維持しつつ二点鎖線の位置まで移動させた後、操作部７１ａを開放して移動先の挿入孔１３ａへシャフト７３の端部を嵌合させてスライドガイド７１を連結する。フレーム１３に形成されている挿入孔１３ａは所定の箇所に複数個設けられているため、ベルトガイド調整機構により肩ベルトガイド３５の位置を選択的変更することができる。
【００３４】
図２に戻り、シート部３とベース部２とは、これらを組み合わせた際に上述した位置調整機構の操作部７１ａがサイドサポート５０、５１の隙間に位置するように構成されている。従って、シート部３の前面側から肩ベルトガイド３５の位置調整が可能となる。なお、シートバック部８は、肩ベルトガイド３５の位置の変更に伴って、シートバック部８のサイドサポート５０、５１の隙間も移動できるように構成されている。このため、チャイルドシート１を取り付けた後においても、肩ベルト３０とシートバック部８とが干渉することなく肩ベルトガイド３５の位置を変更することができる。
【００３５】
本発明は以上の実施形態に限定されず、種々の形態にて実施してよい。例えば、以上の実施の形態においては、車両の座席に固定されるベース部２とシート部３とに分離可能なチャイルドシートについて説明したが、ベース部とシート部とが一体化したいわゆるシェル構造のチャイルドシートにも本発明は適用可能である。また、以上の実施形態においては、スライダ５を利用したリクライニング機構を有するチャイルドシートを例として挙げているが、当該リクライニング機構の有無を問わず本発明は適用可能である。
【図面の簡単な説明】
【００３６】
【図１】本発明の一実施形態に係るチャイルドシートの概要を示した図。
【図２】本発明の一実施形態に係るチャイルドシートの上部を拡大してその一部を切断した斜視図。
【図３】シート部を取り外してベース部の詳細を示す斜視図。
【図４】シートバック部をベース部に連結するためにバックフレームに設けられた連結部の詳細を示した図。
【図５】ベルトガイド位置調整機構の詳細を示した斜視図。
【符号の説明】
【００３７】
１  チャイルドシート
２  ベース部
２ａ  ベース本体
３  シート部
４  拘束ベルト装置
１３  フレーム
１３ａ  挿入孔
３０  肩ベルト
３５  肩ベルトガイド
７１  拘束手段
７２  コイルばね
７３  シャフト
７４  ベース
１００  車両の座席
【図１】
2005162147.tif 000003
【図２】
2005162147.tif 000004
【図３】
2005162147.tif 000005
【図４】
2005162147.tif 000006
【図５】
2005162147.tif 000007